(57)【要約】      （修正有）【課題】解除作業を楽な姿勢でできること、構造上小さな力で操作を可能にすること、小さい力で軽快に接合できること、解除レバーが不意に作動することがない足場組立用フックを提供する。【解決手段】接合相手パイプＢを足場組立用フックＡの挿入部Ｃに近づけると、挿入部Ｃに対向して設けた一対のパイプ保持部２２と３２が自動的に回転して接合相手パイプＢの挿入通路を開いて、接合相手パイプＢを挿入凹部１３内に収納する。そして収納後はパイプ保持部２２，３２はスプリング２５と６０により解除不能にする。逆にフック解除用レバー４０、またはフック解除用レバー４０の反対側に設けたプッシュレバー５０を押上操作することで、接合相手パイプＢを保持している一対の保持部２２と３２を同時に開放してロック状態を解除可能にした。またフック本体１０の前記フック解除用レバー４０の後部位置に接触防止用ガード７０を設けて、誤作動を防止可能にした。【選択図】図１
2008157356.tif 000002
【特許請求の範囲】
【請求項１】
２本のパイプを交差させて組立てる足場組立用フックであって、接合相手パイプを前記足場組立用フックの挿入部に近づけると、前記接合相手パイプによって前記の挿入部に左右対向して設けた一対のパイプ保持部が自動的に回転して接合相手パイプの挿入通路を開くことにより、接合相手パイプを接合相手パイプの挿入凹部内に収納し、収納後は前記パイプ保持部材はスプリングにより閉止方向へ押し付けられて接合相手パイプを解除不能にし、
逆に解除レバー、または前記解除レバーの反対側に設けたプッシュレバーを指で操作することで、接合相手パイプを保持している一対の保持部を同時に開放して接合相手パイプのロック状態を解除可能にしたことを特徴とする上下２箇所解除式の足場組立用フック。
【請求項２】
２本のパイプを交差させて組立てる足場組立用フックであって、
前記足場組立用フックはフック本体と、
前記フック本体の上部にピン軸で揺動可能に支持され、下端に接合相手パイプの保持部を具え、他端にフック解除用レバーと係合する傾斜カム部を備えたカム部材と、
前記フック本体にピン軸で支持され、前記カム部材の下端に設けた相手接合パイプの保持部に対向するパイプ保持部を有するフック部材と、
前記フック部材をフック本体に対して支持するピン軸に支持され、前記カム部材の傾斜カム部との係合部を具えたフック解除用のレバーと、
前記フック部材に対しフック可動軸により前記フック解除用のレバーと連動するよう結合されたプッシュレバーと、
前記プッシュレバーを下方向に押圧するスプリングとからなり、
前記接合相手パイプを下方からの押し上げ動作で前記フック本体の接合パイプの挿入凹部内に保持でき、
前記プッシュレバーを押圧するスプリングに抗して前記フック解除用のレバーを回転させる動作、または前記プッシュレバーの押上げ動作の何れかにより、前記カム部材の下端に設けた相手接合パイプの保持部とこれと対向する前記フック部材下端の保持部とを同時に開き、接合相手パイプのロック状態を解除可能にしたことを特徴とする上下２箇所解除式足の場組立用フック。
【請求項３】
前記フック本体は、半円弧状部と該半円弧状部の下部に接続する直線案内部とからなる接合相手パイプの挿入凹部を有し、当該挿入部凹内には、前記カム部材の巾と等しく、前記ピン軸のまわりに揺動するカム部材保持溝を有し、該カム部材保持溝の端部には前記カム部材の保持部を接合相手パイプをロックする側に付勢するスプリングを装着するスプリング保持溝を有しており、
前記スプリング保持溝と対向する側には、前記フック解除用のレバーと前記フック部材及び前記プッシュレバーよりなる作動機構を収納する収納凹部を備えていることを特徴とする請求項２記載の上下２箇所解除式の足場組立用フック。
【請求項４】
前記カム部材は、中央部に前記フック本体の頂部に挿入したピン軸の挿入孔を有し、該カム部材の内面は円弧状をなし、前記カム部材の外面は前記ピン軸の挿入孔の部分が最も肉厚で、一端に相手接合パイプの保持部を、他端に前記フック解除用レバーと係合する傾斜カム面を有し、前記フック解除用レバーを前方に押して回転させると前期傾斜カム面を介して前記カム部材の保持部を解除方向に作動させるようにした請求項２記載の上下２箇所解除式の足場組立用カム。
【請求項５】
前記フック解除用レバーは、上部の指による操作片と、該上部の操作片と一体で、上部の操作片と直交する平行２片よりなる断面Ｕ字形下部片よりなり、該断面Ｕ字形下部片にはピン挿入用の長孔を有している請求項２記載の上下２箇所解除式の足場組立用カム。
【請求項６】
前記フック本体部の上部には、前記フック解除用レバーの指による操作片の後部位置にフック解除用レバーの誤作動を防止するための接触防止用ガードを設けられていることを特徴とする請求項５記載の上下２箇所解除式の足場組立用フック。
【請求項７】
前記フック部材は、中央部に前記フック解除用レバーのピン孔に挿入するピン軸挿入用長孔を有し、下部に接合相手パイプをロックする保持部を、また該保持部の反対側に前記フック解除レバーの長孔に挿入するピン軸を挿入するための挿入孔を、さらに上部にスプリング保持用突片を有している請求項２記載の上下２箇所解除式の足場組立用フック。
【請求項８】
前記プッシュレバーは縦長の角筒形をなし、該角筒形をなしたプッシュレバーの上部に前記フック部材のスプリング保持用突片を貫通させるスリットを有し、角筒状をなしたプッシュレバーの並行する側辺には前記フック解除用レバーと前記フック部材を中に収めたのちこれらを一体化するピン挿入用長孔を有していることを特徴とする請求項２記載の上下２箇所解除式の足場組立用フック。
【請求項９】
前記スプリングは前記スプリング保持用突片と前記フック本体の頂壁間に装入され、前記プッシュレバーを下向きに付勢し、前記接合相手パイプのロック状態を保持するように付勢していることを特徴とする請求項２記載の上下２箇所解除式の足場組立用カム。
【発明の詳細な説明】
【技術分野】
【０００１】
本発明は例えばアルミニウム合金製の足場用フックに関し、特に組立作業者が接続部の上又は下の２個所から指で操作してフックの保持状態を解除可能な足場用フックに関するものである。
【背景技術】
【０００２】
足場用フックにおいて、従来のものは接続相手パイプを保持しているフックのロック状態を解除する際に、解除用レバーが、フックの上部または、下部に一箇所のみにしかなく、足場用フックの使用位置によっては、フックを解除できない等の問題が生じていた。（特許文献１）
【０００３】
また、上下の２箇所から解除可能なものもあるが、解除レバーの作動が、偏心する円運動であり、なおかつ重かった。このため持ち替えや作動させる指を変える等の思考時間が必要で、解除作業に手間取り、簡単でスムーズな解除操作をすることが出来なかった。（特許文献２）
【０００４】
さらに、解除レバーが重いため、接合相手パイプとの接合に大きな力を必要としていた。（特許文献３）
【０００５】
その上、組み立て式のアルミニウム合金製の足場、ステージ、作業台の作業状況から考えると、安全帯やその他の機器類を同製品に対して掛けて使用することが想定される。この場合安全帯やその他機器類が、アルミニウム合金製の足場、ステージ、作業台の材料の上を滑り、これが従来型の組立用フックに接触し、意図しないフックの解除を引き起こし、事故を起こす恐れがあった。
【特許文献１】特許第３８１７３０４号明細書
【特許文献２】特許第３４６５１８１号明細書
【特許文献３】特開２００１−２２７１５７号公報
【発明の開示】
【発明が解決しようとする課題】
【０００６】
パイプ接合用の足場組立用フックにおいて、
（１）組立用フックのロック状態の解除動作を、組立用フックの上部と下部の２個所で操作できるようにして、解除作業を指の操作で、しかも楽な姿勢で容易にできるようにすること、
（２）この組立用フックの解除操作をする為のフック解除レバー及び接合相手パイプの保持部の運動を円運動と直線運動のみとし、構造上小さな力で操作を可能にすること、
（３）接合相手パイプとの接合が、小さい力で軽快に接合できること、そして
（４）安全帯等が接合部でパイプを滑って伝り、不意に異物がフック解除レバーに接触し、解除レバーが不意に作動することがないような構成の安全な足場組立用フックを提供することを課題とする。
【課題を解決するための手段】
【０００７】
このような課題を解決するため、上下２個所解除式の足場組立用フックは、
２本のパイプを交差させて組立てる足場組立用フックであって、接合相手パイプを前記足場組立用フックの挿入部に近づけると、前記接合相手パイプによってパイプの挿入部に左右対向して設けた一対のパイプ保持部が自動的に回転して接合相手パイプの挿入通路を開くことにより、接合相手パイプを接合相手パイプの挿入凹部内に収納し、収納した後は前記パイプ保持部は、スプリングにより閉止方向へ押し付けられて接合相手パイプのロック状態を解除不能にした。
逆に解除レバー、または前記解除レバーの反対側に設けたプッシュレバーを指で操作することで、接合相手パイプを保持している一対のパイプ保持部を同時に開放して接合相手パイプのロック状態を解除可能にした。
【０００８】
また、上下２個所解除式の足場組立用のフックは、
２本のパイプを交差させて組立てる足場組立用フックであって、
前記足場組立用フックはフック本体と、
前記フック本体の頂部にピン軸で揺動可能に支持され、下端に接合相手パイプの保持部を具え、他端にフック解除用レバーと係合する傾斜カム部を備えたカム部材と、
前記フック本体にピン軸で支持され、前記カム部材の下端に設けた接合相手パイプの保持部に対向するパイプ保持部を有するフック部材と、
前記フック部材をフック本体に対して支持するピン軸に支持され、前記カム部材の傾斜カム部との係合部を具えたフック解除用のレバーと、
前記フック部材に対しフック可動軸により前記フック解除用のレバーと連動するよう結合されたプッシュレバーと、
前記プッシュレバーを下向方向に押圧するスプリングとからなり、
前記接合相手パイプを下方からの押し上げ動作で前記フック本体の接合相手パイプの挿入凹部内に保持でき、
前記プッシュレバーを押圧するスプリングに抗して前記フック解除用のレバーを回転させる動作、または前記プッシュレバーの押上げ動作の何れかにより、前記カム部材の下端に設けた接合相手パイプの保持部と、これと対向する前記フック部材下端のパイプの保持部とを同時に開き、接合相手パイプのロック状態を解除可能にした。
【０００９】
そして、前記フック本体は、半円弧状部と該半円弧状部の下部に接続する直線案内部とからなる接合相手パイプの挿入凹部を有し、当該挿入凹部内には、前記カム部材の巾と等しく、前記ピン軸のまわりに揺動するカム部材の保持溝を有し、該カム部材の保持溝の端部には、前記カム部材の保持部を接合相手パイプをロックする側に付勢するスプリングを装着するスプリング保持溝を有しており、
前記スプリング保持溝と対向する側には、前記フック解除用のレバーと前記フック部材及び前記プッシュレバーよりなる作動機構を収納する収納凹部を備えている。
【００１０】
また、前記カム部材は、中央部に前記フック本体の頂部に挿入したピン軸が通る挿入孔を有し、該カム部材の内面は円弧状をなし、前記カム部材の外面は前記ピン軸の挿入孔の部分が最も肉厚で、一端下部に相手接合パイプの保持部、他端に前記フック解除用レバーと係合する傾斜カム面を有し、前記フック解除用レバーを前方に押して回転させると、前期傾斜カム面を介して前記カム部材に設けたパイプの保持部を解除方向に作動させるようにした。
【００１１】
さらに、前記フック解除用レバーは、上部に設けた指による操作部と、該操作部と一体で、操作部の下部と直交する平行２片よりなる断面Ｕ字形の下部片よりなり、該断面Ｕ字形下部片にはピン軸挿入用のピン孔とフック可動軸挿入用の長孔を有している。
【００１２】
そして、前記フック本体部の上部には、前記フック解除用レバーの指による操作部の後部位置に、フック解除用レバーの誤作動を防止するための接触防止用ガードが設けられ、これにより誤動作によるロック解除を防ぐようにした。
【００１３】
そしてまた、前記フック部材は、中央部に前記フック解除用レバーのピン孔に挿入するピン軸挿入用の長孔を有し、下部に接合相手パイプをロックするパイプ保持部を、また該パイプ保持部の反対側に前記フック解除レバーの下部側片に設けた長孔に挿入するフック可動軸を挿入するためのフック可動軸挿入孔を、さらに上部にスプリング保持用上向突片を有している。
【００１４】
さらに前記プッシュレバーは縦長の角筒形をなし、該角筒形をなしたプッシュレバーの上部壁に前記フック部材のスプリング保持用上向突片を貫通させるスリットを有し、角筒状をなしたプッシュレバーの並行する両側壁には前記フック解除用レバーと前記フック部材を中に収めたのちこれらを一体化するピン挿入用長孔を有している。
【００１５】
さらにまた、前記スプリングは前記スプリング保持用上向突片と前記フック本体の頂壁間に装入され、前記プッシュレバーを下向きに付勢し、前記接合相手パイプのロック状態を保持するように付勢している。
【発明の効果】
【００１６】
本発明は上下の２個所で足場用フックのロック解除作業ができるようにしたので、足場用フックに対する作業者の使用位置により、フックを解除できない場合が生じる等の問題がなくなり、いかなる姿勢にあっても解除作業を容易に行うことができる。
【００１７】
また公知の上下２箇所から解除可能なものは、解除レバーの作動が偏心する円運動であったため、レバーを作動させるための力の向きを変えながら作動させなくてはならない。このために、作業者には重く使いにくいという問題があった。しかし、本発明においては、解除用レバーの作動軌跡をピン軸のまわりに回動させる正円運動としたので、あるいはまたプッシュレバーも上方に押すのみの直線的な力で作動することが出来るので、作動しやすくなった。因みに作動荷重を実測すると、従来型フックの約半分の荷重で作動することを確認できた。当然ながら、接合相手パイプの保持力は、従来型のフックと何等変わらない。
【００１８】
さらに従来型のものは、解除レバーの作動軌跡の影響で、構造上接合相手パイプとの接合に大きな力を必要とした。しかし、本発明は、実測の結果約１／４の力で接合が可能となった。
【００１９】
また従来品は、組み立て式のアルミニウム合金製の足場、ステージ、作業台の組立作業の際、作業の安全を図るため、安全帯やその他の機器類を。同製品に対し掛けて使用することが想定される。この場合に安全帯やその他機器類が、アルミニウム合金製の足場や、ステージ、あるいは作業台の材料を滑り落ち、これが足場組立用フックに接触し、意図しないフックの解除を引き起こし、事故を起こす恐れがあった。しかし本発明品では、接触防止用のガードをフック本体に設けたので、このガードの存在より不意な解除を生ずることはなく、安全な組立作業を確保することができる。
【発明を実施するための最良の形態】
【００２０】
以下図面を参照して本発明の一つの実施形態について説明する。
図１は本発明にかかわる２本のパイプを交差させて組立てる足場組立用フックＡの側面図で、結合相手パイプＢを下から近付け結合しようとする状態を示す。
【００２１】
図１のごとく本発明の上下２個所解除式足場組立用フックは、接合相手パイプＢを足場組立用フックＡの挿入部Ｃに下側から近づける（矢印ａ）と、前記接合相手パイプＢによって前記の挿入部Ｃに左右対向して設けた一対のパイプ保持部２２と３２が自動的に外に回転し、接合相手パイプＢの挿入通路を開くことにより、接合相手パイプＢを挿入凹部１３内に収納することができる、収納後は前記パイプ保持部２２と３２は、スプリング２５と６０により閉止方向へ押し戻されて接合相手パイプＢを解除不能にロックする。
逆にフック解除レバー４０、または前記フック解除レバー４０の反対側（図１の下側）に設けたプッシュレバー５０を指で上方に押し上げることで、接合相手パイプＢを保持している一対のパイプ保持部２２と３２を同時に開いて、接合相手パイプＢのロック状態の解除が可能となる。
【００２２】
さて、このような足場組立用フックＡはフック本体１０と、フック本体１０の上部にピン軸２１の回りに揺動可能に支持され、下端（図１の左側下部）に接合相手パイプＢの片側を保持する保持部２２を具え、他端（図１の上部右端）にフック解除用レバー４０と係合する傾斜カム部２３（図６）を備えたカム部材２０と、前記フック本体１０にピン軸３１で支持され、前記カム部材２０の下端に設けたパイプ保持部２２に対向するパイプ保持部３２を有するフック部材３０（図８）と、前記フック部材３０をフック本体１０に対して支持するピン軸３１に回動可能に支持され、前記カム部材２０の傾斜カム部２３との係合部４５（図７）を具えたフック解除用レバー４０と、前記フック部材３０に対しフック可動軸３３により前記フック解除用レバー４０と連動するよう結合されたプッシュレバー５０と、前記プッシュレバー５０を下方向に押圧するスプリング６０とからなっている。
【００２３】
この構成により前記接合相手パイプＢを下方から図１の上に向って押し上げる動作で前記フック本体１０の接合相手パイプＢの挿入凹部１３内に確実に保持することができる。
そして前記プッシュレバー５０を下方向に押圧するスプリング６０及びカム部材２０をロック方面に付勢するスプリング２５のバネ力に抗して前記フック解除用レバー４０を回転させる動作、または前記プッシュレバー５０の押上げ動作の何れかにより、前記カム部材２０の下端に設けた接合相手パイプＢの保持部２２と、これと対向する前記フック部材３０の下端の保持部３２とを同時に開き、接合相手パイプＢのロック状態を解除可能にしている。
【００２４】
以上のような構成の上下２箇所解除式の足場組立用フックの各構成部材について、以下より詳細に説明する。
図２で前記フック本体１０は、半円弧状部１１と該半円弧状部１１の下部に接続する直線案内部１２とからなる、接合相手パイプＢの挿入凹部１３を有している。当該挿入凹部１３内には、前記カム部材２０の巾と等しく、穴２１ａで端を支持されたピン軸２１のまわりに揺動するカム部材２０の保持溝１４（図５）を有し、該カム部材の保持溝１４の下端部には、前記カム部材２０を接合相手パイプＢをロックする側に付勢するスプリング２５を装着するスプリング保持溝１５を有している（図４、図５）。
前記スプリング保持溝１５と対向する側には、前記フック解除用レバー４０と前記フック部材３０及び前記プッシュレバー５０よりなる作動機構を収納する収納凹部１６（図５）を備えている。
【００２５】
収納凹部１６について図４と図５を参照してさらに詳しく説明する。該収納凹部１６内には前記ピン軸３１の端を挿入する穴３１ａ（図５）が設けられている。またこの収納凹部１６は上部に角形の開口１７を有し、ここから前記フック解除用レバー４０の操作部４１（図７）が上方に突出する構成となっている。
収納凹部１６内には、前記フック部材３０（図８）に設けたフック可動軸挿入孔３５に挿通するフック可動軸３３のガイド溝１８が図４に示す如く、対向して設けられ、前記プッシュレバー５０を押し上げたとき、このガイド溝１８に沿って前記フック可動軸３３が上下に案内されて動くことができる。１９は前記プッシュレバー５０の両側面を案内する案内面である。
【００２６】
６１（図５）は収納凹部１６の頂面で前記スプリング６０（図１）の上端をこの頂面６１で支持する。スプリング６０の下端は前記フック部材３０に設けた上向突片３６（図８）に嵌り支持されている。
【００２７】
次に前記カム部材２０は、図６に示すごとく中央部に前記フック本体１０の上部に設けた穴２１ａで両端を支持されたピン軸２１の挿入孔２６を有し、カム部材２０の内面２４は接合相手パイプの半径と等しい半径の円弧状をなしている。前記カム部材２０は前記ピン軸２１の挿入孔２６の部分が最も肉厚で、一端に接合相手パイプの保持部２２、他端に前記フック解除用レバー４０のカム係合部４５（図７）と係合する傾斜カム部２３を有している。前記フック解除用レバー４０（図７）を前方（図１の矢印ｂ）に押してピン軸３１のまわりに回転させると、前記カム係合部４５が前期傾斜カム部２３の上面に当接し、カム部材２０を下に押し、ピン軸２１のまわりに回転させる。するとカム部材２０の反対側下端のパイプ保持部２２が外向き（図１の左側）に開く。
なお傾斜カム部２３の部分は、図６（ｂ）のごとく、平行二又状をなし二又のそれぞれの上面に傾斜カム部２３が形成されている。接合相手パイプＢの保持部２２の外側には、スプリング２５の保持穴２４が設けられている。
【００２８】
次に前記フック解除用レバー４０は図７に示すごとく側面視（図７（ａ））で概略Ｌ字形をなし、上部の指による操作片４１と、上部の操作片４１と一体で、上部の操作片４１と直交する平行２片よりなる断面Ｕ字形下部片４２よりなっている。この断面Ｕ字形下部片４２にはピン軸３１を挿入するピン孔４３と、フック可動軸３３を挿入する長孔４４を有している。
【００２９】
なお図１に示すごとく、フック本体１０の上部には、前記フック解除用レバー４０の操作片４１の後部位置に、上方に突出した接触防止用ガード７０を設けた。これにより、フック解除用レバー４０を指の操作以外の他の物体の接触でロックが解除される危険を防止することができる。
【００３０】
次に前記フック部材３０は、図８に示すごとく中央部に前記フック解除用レバー４０のピン孔４３に挿入するピン軸３１挿入用の長孔３４を有し、下部に接合相手パイプＢをロックする保持部３２を、また該保持部３２の反対側に前記フック解除レバー４０の長孔４４に挿入するフック可動軸３３を挿入するためのフック可動軸挿入孔３５を、さらに上部にそのスプリング保持用上向突片３６を有している。
【００３１】
さらに前記プッシュレバー５０は図９に示すように断面が縦長の角筒形をなし、該角筒形の上部に前記フック部材３０のスプリング保持用上向突片３６が貫通するスリット５１を有し、角筒の並行する側辺５２には前記解除用レバー４０と前記フック部材３０を中に収めたのち、これらを一体化するフック可動軸３３挿入用の長孔５３を有している。
【００３２】
そして前記スプリング６０は、前記スプリング保持用上向突片３６と前記フック本体１０の頂壁６１（図５）との間に装入され、前記プッシュレバー５０を下向きに付勢し、前記接合相手パイプＢの保持部３２によるロックの解除を防止している。
【００３３】
（足場組立用フックの作動）
（１）接合相手パイプＢの挿入（図１０〜図１３参照）
ａ）接合相手パイプＢを挿入凹部１３（図１）に向って押し込む（図１０）。このとき、フック部材３０は、スプリング６０のバネ力に抗してピン軸３１のまわりに回転し、またカム部材２０のパイプ保持部２２はスプリング２５に抗して回り、接合相手パイプＢの挿入部Ｃを開放する。そして直線案内部１２，１２に沿ってパイプ挿入部１３内に向ってスムーズに進入する。（図１１）
一旦挿入されると、スプリング２５とスプリング６０のバネ力によってパイプの保持部２２と３２は押し返され、ロックされる。
【００３４】
（２）接合相手パイプＢのアンロック。
解除用レバー４０を図１２の矢印ｂ方向に指で押す。するとカム部材２０の傾斜カム部２３を介し、カム部材２０をピン軸２１の回りに右回転させる。
すると下端の保持部２２は外方（図１の左）に開く。同時にフック部材３０はピン軸３１の位置は動かないが、フック解除用レバー４０の後端にある長孔４４に挿通されているフック可動軸３３がスプリング６０に抗して上方に押し上げられる。
するとパイプの保持部３２は図１２の矢印ｃ方向に回転しロック状態を解除する。
【００３５】
かくして、接合相手パイプＢは図１３のごとく、平行案内面１２，１２に沿って案内され、引出しが可能となる。
また、上方のフック解除用レバー４０の操作片４１が作業者の作業位置の関係で操作不能、または操作し難い場合には、プッシュレバー５０を上向方向（図１３の矢印ｃ）にスプリング６０に抗して押し上げる。すると、フック解除用レバー４０による操作の場合と同様、フック部材３０がピン軸３１のまわりに回転し、フック部材３０下端の保持部３２が開放して接合相手パイプＢの引き出しを可能とする。
【００３６】
以上のように、上と下の２個所で解除操作が可能となるので、組立てに従事する作業員は極めて自然な姿勢で、無理なく解除作業を行うことができる。
【図面の簡単な説明】
【００３７】
【図１】足場組立用フックと接合相手パイプのパイプ接合前の側面図。
【図２】フック本体の側面図。
【図３】図２のＸ矢視平面図。
【図４】図２のＹ矢視下面図。
【図５】図３のＡーＡ断面図。
【図６】カム部材の側面図と平面図。
【図７】（ａ）は解除用レバー側面図、（ｂ）は（ａ）の左側面図。
【図８】（ａ）はフック部材の側面図、（ｂ）は（ａ）のＸ矢視図。
【図９】（ａ）はプッシュレバーの正面図、（ｂ）は（ａ）のＸ矢視図。
【図１０】組立用フックに接合相手パイプを挿入しようとする状態の図。
【図１１】挿入し終った状態の図。
【図１２】ロックを解除した状態の図。
【図１３】ロックを解除して、接合相手パイプを取出した状態の図。
【符号の説明】
【００３８】
Ａ      足場組立用フック        ２１    ピン軸
Ｂ      結合相手パイプ          ２１ａ  （ピン軸２１の端を支持する）穴
Ｃ      パイプの挿入部          ２２    （パイプの）保持部
１０    フック本体              ２３    傾斜カム部
１１    半円弧状部              ２４    （スプリングの）保持穴
１２    平行平面部              ２５    スプリング
１３    挿入凹部                ２６    （ピン軸２１の）挿入孔
１４    （カム部材の）保持溝    ３０    フック部材
１５    スプリング保持溝        ３１    ピン軸
１６    収納凹部                ３１ａ  （ピン３１の端を挿入する）穴
１７    上部開口                ３２    パイプ保持部
１８    ガイド溝                ３３    フック可動軸
１９    案内面                  ３４    長孔
２０    カム部材                ３５    フック可動軸挿入孔
３６    （スプリング保持用）上向突片
４０    フック解除用レバー
４１    操作片
４２    断面Ｕ字形下部片
４３    ピン孔
４４    長孔
４５    カム係合部
５０    プッシュレバー
５１    スリット
５２    側辺
５３    長孔
６０    スプリング
６１    （収納凹部の）頂壁
７０    接触防止用ガード
【図１】
2008157356.tif 000003
【図２】
2008157356.tif 000004
【図３】
2008157356.tif 000005
【図４】
2008157356.tif 000006
【図５】
2008157356.tif 000007
【図６】
2008157356.tif 000008
【図７】
2008157356.tif 000009
【図８】
2008157356.tif 000010
【図９】
2008157356.tif 000011
【図１０】
2008157356.tif 000012
【図１１】
2008157356.tif 000013
【図１２】
2008157356.tif 000014
【図１３】
2008157356.tif 000015